(57)【要約】      （修正有）【課題】とじたり・挟んだ書類が外れたり・抜け落ちるのを防ぐことが出来るピン留めクリップを提供する。【解決手段】書類等を挟むクリップやファイルにおいて、書類等をはさみこむ部分の少なくとも一方側に１個から複数の留めピン３を設け、その対面側に書類等を突き抜けたピン先が危害を及ぼさないように、各ピン先の受け口４とピン先を収納する部分５とを対応させて構成する。【選択図】図１
2015006741.tif 000002
【特許請求の範囲】
【請求項１】
書類等をとじたり挟んで保持するクリップ全般およびファイル等において、書類等を挟み込む接触部分の少なくとも一方（片面）側に１個もしくは複数個の針状留めピンを針先が接触面に対し（ほぼ）垂直に突き出すように構成し、その対面側には書類等を突き抜けた個々のピン先が危害を及ぼさないように、各ピン先の受け口とピン先を収納する部分とをそれぞれの留めピンに対応させて構成することを特徴とする、挟み込んだ書類等が抜け落ちない「ピン留めクリップ」
【発明の詳細な説明】
【技術分野】
【０００１】
本発明は、文具用等のクリップで小紙片や書類等をとじたり挟んだりする場合に、書類等が外れたり抜け落ちたりしないように、挟み込むクリップの接触部分に書類（その端）等を貫通して留めるための細い針状のピンを設けることを特徴とするクリップ、及び同様に書類押え具に留めピンを設けるファイルに関する。
【背景技術】
【０００２】
書類や小型印刷物・紙片等を挟んで保持するクリップは、実用新案や特許の公開事例等に見られるように種々のタイプのものが開発されてきた。しかし、従来クリップの改善点はいずれも、とじたり・挟んだりする書類等対象物の上下もしくは左右の両面から加える力を単に増強して挟み込むことにより挟まれた書類に加わる摩擦力を増加させて、挟まれた書類の一部等が抜け落ち難くすることを目的とした。
そこで本発明は、とじたり・挟んだ書類が容易に外れたり・抜け落ちないように、クリップの挟み込み部分に対象書類の一部（端）等を貫通する留めピンを設けることを特徴とする。
【先行技術文献】
【特許文献】
【０００３】
【特許文献１】従来、書類や小型印刷物等を挟む文具用等のクリップは、以下の実用新案や特許事例のように種々のタイプのものが開発されてきた。即ち、実用新案出願平５−７６２０２〜実用新案公開平７−３７６７６「クリップピン」、特許出願平７−２９８９１２〜特許公開平９−１１８０８８「クリップ」、特許出願平１１−２２５６４４〜特許公開２００１−４７７７９「クリップ」、実用新案出願２００１−８３７８〜登録実用新案第３０８６９０９号「ゼムクリップ」、実用新案出願２００４−２０９８〜登録実用新案第３１０９７０４号「綴じ込み力増強のゼムクリップ」、特許出願２０１０−５８７５〜特許公開２０１１−１４３６１２「文具用クリップ」、等々である。
【発明の概要】
【発明が解決しようとする課題】
【０００４】
従来の文具用等のクリップはいずれも、とじたり・挟んだりする書類等対象物の両面・両側から単に加える力を増強することにより、挟まれた書類等が外れ難くしたり抜け落ち難くするのを目的としたため、挟まれた対象書類等を開いて見ている時に、その一部が外れたり・抜け落ちるという欠点があった。多数の書類（の一部）が外れたり・抜け落ちて混ざると、その数が多い場合には再整理が容易に行えない場合も多々あった。
そこで本発明では、とじたり・挟んだ書類が外れたり・抜け落ちたりしないように、書類等を挟み込む部分に対象書類等の一部（端）を貫通する留めピン３をクリップ本体に含めて構成する。
【課題を解決するための手段】
【０００５】
本発明では、クリップやファイルでとじたり・挟んだ書類等を開いて見（てい）る時に、その一部が外れたり・抜け落ちたりしないように、書類等を挟み込む部分に対象書類の一部（端）を貫通する細い針状の留めピン３をクリップやファイル本体の接触部分に突き出して構成することにより、書類等の一部の外れや抜け落ちの防止を目的とする。
【発明の効果】
【０００６】
本発明は、クリップやファイルでとじたり・挟んだ書類等を見る時に、その一部が外れたり・抜け落ちたりしないように、書類等を挟み込む部分に対象書類の一部（端）を貫通させる留めピン３をクリップ等の本体に含めて構成するものであり、従って、挟まれた書類等に強い力を加えて引っ張ったり、重い書類等を挟んだために書類等の一部（端）が破れて切り開かれない限り、留めピン３から書類の一部が外れたり抜け落ちるのを確実に防ぐことができる。
【図面の簡単な説明】
【０００７】
【図１】第１図は本発明「ピン留めクリップ」の全体構造が理解し易いよう、針状の留めピン３が見えるように板バネクリップ本体の内面を開放した全体斜視図である。図１−１は、第１図の側面・断面図であり、開放レバー２を通常の開放操作とは逆方向へ反転して留めピン３の先端（とじる書類等の上下面）側へ押し合えば、針状のピン３を書類等へ容易に貫通させてとじることができる。図１−２は留めピン３の受け口４及び収納部５をゴムやスポンジ、プラスチック、金属製等の受け台７で構成した側面・断面図である。
【図２】第２図は本発明に紙押え８を設けた、コイルばねによる別案の側面・断面図である。図２−１は第１図をベースとした類似案で、それに紙押え８を設けた側面・断面図である。
【図３】第３図は本発明の別タイプ案であり、本体底面に磁石（板）１１を設けることにより金属面に張り付けて使用できる実施例の側面・断面図である。図３−１は第３図の別案の平面図であり、押えレバー１２部分を丸型で押しやすく構成した実施例である。
【図４】第４図は本発明の留めピン３を厚紙ファイルのとじ具に適用した実施例の斜視図である。この図には記載していないが、平ひも状のファイルとじ具１５を引張してとじるための二穴固定具を用いてとじれば、多量の書類等を保管することが可能となる。図４−１は第４図の上側とじ具・ピン付き書類押え１７の平面図であり、図４−２はピン付き書類押え１７とピン先及び書類等受け台１９の側面断面図である。
【発明を実施するための形態】
【０００８】
本発明は、従来同様の書類等を挟むクリップ全般において、書類等を挟み込む部分の少なくとも一方（片面）側に１個もしくは複数個（望ましくは数個）の針状留めピン３を設け、かつ、書類等を突き抜けた各ピン先が危害を及ぼさないように、その対面側に各ピン先の受け口４とピン先を収納する部分５とを対面させて構成することを特徴とする。
書類等の留めピン３は基本的に片側に設けることで書類等の外れや抜け落ちを防止できるが、より強固に書類等を挟んで保持するために留めピン３を両側に設ける場合は、各ピン先の受け口４とそれに対応するピン先を収納する部分５とを各ピンに対応させて両側に設ける。留めピン３は、書類等を挟み込む紙押え８の内部等に押しピン状のものを埋め込んだり、「コ」の字型に曲げたものの根元を埋め込んでも良いし、第１図や図３−１に示すように針金を（ほぼ）直角に突き出して曲げたピン元の押え具１３等で保持しても良い。
【０００９】
また、留めピン３により書類等をとじたり・挟んで保持する機能は、図４に示すような従来の厚紙ファイルに対しピン付き書類押え具１７にも適用できる。この場合は、とじ穴をあけるためのパンチ具が無くとも、ホッチキス程度の細いピン穴を開けることにより大量の書類等をファイルして保管することができる。
図４の場合でも、書類等の留めピン3は基本的に一方（片面）側に設けることで書類等の外れや抜け落ちを防止できるが、留めピン３を両側に設ける場合は、各ピン先の受け口４とピン先を収納する部分５も対面させて両面に設ける。
【実施例】
【００１０】
本発明は、従来同様の書類等を保持するクリップ及び厚紙ファイル等において、書類等を挟み込む部分の少なくとも一方側に１個から複数の留めピン３を設け、その個々の対面側に、書類等を突き抜けたピン先が危害を及ぼさないように、各ピン先の受け口４とピン先を収納する部分５を対応させて構成することを特徴とする。
本発明の適用・実施例は以下のような実施例にとどまらず、それらの種々の変形例にも適用できる。
【００１１】
第１図は本発明の一例を示す、従来型クリップ本体を板ばね１で構成した全体斜視図であるが、留めピン３やピン受け口４及びピン先収納部５の構成については図１−１や図１−２に示すような変形実施例がある。
第２図及び図２−１は、紙押え８を設けて接触面積を増加し、書類等をソフトに挟み込んで保持するようにした実施例である。
第３図は本発明の別案であり、クリップ本体の底面に磁石（板もしくはシート状）１１を設け、冷蔵庫等の磁性を有する金属表面上に本発明のピン留めクリップを張り付けて使用する実施例である。この例では、書類等を挟むためのレバーつまみ部分12が丸型のものを示したが、つまみ部分１２やレバー先端紙押え１４の形状は種々変形して構成できる。
第４図は本発明を従来の厚紙ファイルに適用した例であり、図４−１と図４−２に示すような上下対の二穴とじ具（ピン付き書類押え１７、ピン先及び書類等受け台１９）で構成すれば、大量の書類をとじて保管することができる。第４図には、２本対のファイルとじ具１５を挟み込んで書類等の全体をとじるための二穴固定具は記載していないが、この場合には、留めピン付き書類押え１７と受け台１９とでとじた書類等の全体を当該とじ具で保持してファイルを管理する。
なお、第４図に示した留めピンと、その固定とじ具による書類等のファイル方法は、それらを複数のリングで保持するタイプのファイル等にも適用できる。
【産業上の利用可能性】
【００１２】
本発明のピン留めクリップ及び厚紙ファイルは、通常の日常生活において書類等を保持するクリップや厚紙ファイルに適用することにより個人使用から業務用目的まで、また１枚の紙片から複数の文書等の保持まで、さらには書類整理から大量のファイル管理まで、とじた書類等の抜け落ちによる紛失を防止して広範に利用可能である。
【符号の説明】
【００１３】
「１」は板ばねクリップ本体、
「２」は曲げ針金による開放レバー、
「３」は針状の留めピン、
「４」はピン受け口、
「５」はピン先収納部、
「６」は書類など、
「７」はピン先収納台、
「８」は紙押え、
「９」は（コイル）バネ、
「１０」は（紙押え）開放レバー、
「１１」は磁石、
「１２」は（丸型押え）レバー、
「１３」はピン元の押え具、
「１４」はレバー先端の紙押え部、
「１５」はファイルとじ具１７と１９を固定するための平らなひも状とじ具、
「１６」はファイルの表裏カバー、
「１７」は留めピン付き書類押え、
「１８」はとじ具通し穴、
「１９」はピン先及び書類等の受け台。
【図１】
2015006741.tif 000003
【図２】
2015006741.tif 000004
【図３】
2015006741.tif 000005
【図４】
2015006741.tif 000006